(57)【要約】【課題】データ伝送モードの切り替わりのタイミングに起因する画像のノイズの発生を抑えることが可能な、撮像装置を提供する。【解決手段】アナログ信号をデジタル信号に変換する変換部と、前記デジタル信号に対する信号処理を行う信号処理部と、前記変換部での変換に用いる第１の信号と、前記信号処理部で処理される第２の信号とを少なくとも用いて、出力するデータ信号の通信モードの、第１のデータ伝送モードと、前記第１のデータ伝送モードよりも伝送速度が低速な第２のデータ伝送モードとに切り替わるタイミングを所定のルールに基づき制御する制御部と、を備える、撮像装置が提供される。【選択図】図４
2020027978.tif 000002
【特許請求の範囲】
【請求項１】
アナログ信号をデジタル信号に変換する変換部と、
前記デジタル信号に対する信号処理を行う信号処理部と、
前記変換部での変換に用いる第１の信号と、前記信号処理部で処理される第２の信号とを少なくとも用いて、出力するデータ信号の通信モードの、第１のデータ伝送モードと、前記第１のデータ伝送モードよりも伝送速度が低速な第２のデータ伝送モードとに切り替わるタイミングを所定のルールに基づき制御する制御部と、
を備える、撮像装置。
【請求項２】
前記制御部は、前記所定のルールとして前記第１のデータ伝送モードと前記第２のデータ伝送モードとの切り替わりのタイミングをランダムに変化させる、請求項１に記載の撮像装置。
【請求項３】
前記制御部は、擬似ランダム数に基づいて前記第１のデータ伝送モードと前記第２のデータ伝送モードとの切り替わりのタイミングをランダムに変化させる、請求項２に記載の撮像装置。
【請求項４】
前記制御部は、前記第１の信号を参照して所定の期間を避けるように、前記第１のデータ伝送モードと前記第２のデータ伝送モードとの切り替わりのタイミングを変化させる、請求項１に記載の撮像装置。
【請求項５】
前記第１の信号は、ランプ信号である、請求項４に記載の撮像装置。
【請求項６】
前記制御部は、前記第２の信号のノイズ量を測定し、該ノイズ量が最小となるタイミングで前記第１のデータ伝送モードと前記第２のデータ伝送モードとの切り替わりのタイミングを変化させる、請求項１に記載の撮像装置。
【請求項７】
前記制御部は、前記第１のデータ伝送モードと前記第２のデータ伝送モードとの切り替え時間の最小値が前記通信モードの規則に定められた最小値を下回らない範囲で前記第１のデータ伝送モードと前記第２のデータ伝送モードとの切り替わりのタイミングを制御する、請求項１に記載の撮像装置。
【請求項８】
前記アナログ信号を生成する画素がアレイ状に配列された画素アレイをさらに備える、請求項１に記載の撮像装置。
【請求項９】
前記通信モードは、ＭＩＰＩ（Mobile  Industry  Processor  Interface）規格に準拠するモードである、請求項１に記載の撮像装置。
【請求項１０】
アナログ信号をデジタル信号に変換することと、
前記デジタル信号に対する信号処理を行うことと、
前記変換に用いる第１の信号と、前記信号処理で処理される第２の信号とを少なくとも用いて、出力するデータ信号の通信モードの、第１のデータ伝送モードと、前記第１のデータ伝送モードよりも伝送速度が低速な第２のデータ伝送モードとに切り替わるタイミングを所定のルールに基づき制御することと、
を備える、制御方法。
【発明の詳細な説明】
【技術分野】
【０００１】
本開示は、撮像装置及び制御方法に関する。
【背景技術】
【０００２】
撮像装置の出力ＩＦとしてＭＩＰＩ（Mobile  Industry  Processor  Interface）規格が多く使われている。ＭＩＰＩ規格で用いられるＭＩＰＩ信号には、高速データ転送動作（ＨＳ）区間と、低消費電力動作（ＬＰ）区間が存在する。ＨＳ区間では小振幅差動信号で動作し、ＬＰ区間では電源からＧＮＤまでの振幅を持つシングルエンド信号で動作する。ＭＩＰＩ規格に関する技術として例えば特許文献１などが開示されている。
【先行技術文献】
【特許文献】
【０００３】
【特許文献１】特開２０１７−１９５５００号公報
【発明の概要】
【発明が解決しようとする課題】
【０００４】
ＨＳ区間とＬＰ区間との切り替え時には、伝送路のレベル変動が発生し、変動に伴って伝送路を駆動する装置の電源やＧＮＤの電流、電圧が変動する。このＨＳ区間とＬＰ区間との切り替えに伴い発生するＧＮＤの変動が原因となり、撮像装置が生成する画像にノイズが発生する。
【０００５】
そこで、本開示では、データ伝送モードの切り替わりのタイミングを制御することでデータ伝送モードの切り替わりのタイミングに起因する画像のノイズの発生を抑えることが可能な、新規かつ改良された撮像装置及び制御方法を提案する。
【課題を解決するための手段】
【０００６】
本開示によれば、アナログ信号をデジタル信号に変換する変換部と、前記デジタル信号に対する信号処理を行う信号処理部と、前記変換部での変換に用いる第１の信号と、前記信号処理部で処理される第２の信号とを少なくとも用いて、出力するデータ信号の通信モードの、第１のデータ伝送モードと、前記第１のデータ伝送モードよりも伝送速度が低速な第２のデータ伝送モードとに切り替わるタイミングを所定のルールに基づき制御する制御部と、を備える、撮像装置が提供される。
【０００７】
本開示によれば、アナログ信号をデジタル信号に変換することと、前記デジタル信号に対する信号処理を行うことと、前記変換に用いる第１の信号と、前記信号処理で処理される第２の信号とを少なくとも用いて、出力するデータ信号の通信モードの、第１のデータ伝送モードと、前記第１のデータ伝送モードよりも伝送速度が低速な第２のデータ伝送モードとに切り替わるタイミングを所定のルールに基づき制御することと、を備える、制御方法が提供される。
【発明の効果】
【０００８】
以上説明したように本開示によれば、データ伝送モードの切り替わりのタイミングを制御することでデータ伝送モードの切り替わりのタイミングに起因する画像のノイズの発生を抑えることが可能な、新規かつ改良された撮像装置及び制御方法を提供することが出来る。
【０００９】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１０】
【図１】ＨＳ区間の信号とＬＰ区間の信号の例を示す説明図である。
【図２】画素からの信号をデジタル化する際の、ノイズの影響を受けやすいタイミングを示す説明図である。
【図３Ａ】ＭＩＰＩのＨＳ区間とＬＰ区間の切り替えに起因するノイズの発生のメカニズムを示す説明図である。
【図３Ｂ】ＭＩＰＩのＨＳ区間とＬＰ区間の切り替えに起因するノイズが乗った画像の例を示す説明図である。
【図４】本開示の実施の形態に係る撮像装置１００の機能構成例を示す説明図である。
【図５】ＨＳ区間とＬＰ区間の切り替えタイミングの制御例を示す説明図である。
【図６】制御部の第１の構成例を示す説明図である。
【図７】ＨＳ区間とＬＰ区間の切り替えタイミングを、ノイズの影響が少ないタイミングにシフトする様子を示す説明図である。
【図８】制御部の第２の構成例を示す説明図である。
【図９】ランプ信号とＨＳ区間とＬＰ区間の切り替えタイミングとノイズ量の関係例を示す説明図である。
【図１０】制御部の第３の構成例を示す説明図である。
【図１１】本開示の実施の形態の効果を説明するための説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．本開示の実施の形態
１．１．経緯
１．２．構成例および動作例
２．まとめ
【００１３】
＜１．本開示の実施の形態＞
［１．１．経緯］
本開示の実施の形態について詳細に説明する前に、本開示の実施の形態に至った経緯について説明する。
【００１４】
撮像装置の出力ＩＦとしてＭＩＰＩ規格が多く使われている。ＭＩＰＩ規格で用いられるＭＩＰＩ信号には、高速データ転送動作（ＨＳ）区間と、低消費電力動作（ＬＰ）区間が存在する。ＨＳ区間では小振幅差動信号で動作し、ＬＰ区間では電源からＧＮＤまでの振幅を持つシングルエンド信号で動作する。図１は、ＨＳ区間の信号とＬＰ区間の信号の例を示す説明図である。図１には、ＨＳ区間での２５０ｍＶの振幅を有する作動信号と、ＬＰ区間でのＧＮＤと１．２Ｖの電圧とで推移するシングルエンド信号とが示されている。
【００１５】
ＨＳ区間とＬＰ区間との切り替え時には、伝送路のレベル変動が発生し、変動に伴って伝送路を駆動する装置の電源やＧＮＤの電流、電圧が変動する。装置のＧＮＤについては、アナログ処理部とデジタル処理部との間での干渉が少なくなるように工夫されるのが一般的ではある。しかし、撮像素子の基板を介してそれぞれのＧＮＤが結合する等により、この干渉を完全に除くことはできない。このためＭＩＰＩ信号の切り替え時に発生するＧＮＤの変動が原因となり画像にノイズが発生する。
【００１６】
画素アレイの複数の画素のそれぞれから、入射光を光電変換して得られるアナログ画素信号とデジタル化の基準となる信号がアナログ処理部で比較され、その結果が一致するまでの時間をカウントしこれをデジタルの出力データとしている。この処理をしているタイミングが最もノイズの影響を受けやすい。図２は、画素からの信号をデジタル化する際の、ノイズの影響を受けやすいタイミングを示す説明図である。画素からの信号と、ＤＡＣ（Digital  Analog  Convertor）の出力のスロープとがクロスするタイミングでカウンタを制御することで、画素からの信号がデジタル化される。この際、ＤＡＣの出力のスロープ部分がノイズの影響を受けやすいタイミングである。
【００１７】
画像ノイズの評価は、ノイズが最も目立つ光を遮断した状態（遮光状態）で行われる。遮光状態の場合、基準レベルの読み込み時と画素レベルの読み取り時で結果が同じになる。この基準レベルまたは画素レベルの読み取り時にＭＩＰＩのＨＳ区間とＬＰ区間の切り替えが発生すると、それぞれの読み取り結果が同じにならず、ノイズ（画像の一部だけが明るくもしくは暗くなる現象）が発生する。
【００１８】
この処理は、同じライン上にある画素アレイについて同時に行われるが、アナログ処理部とデジタル処理部との動作クロックの周波数が同一で、かつＭＩＰＩのＨＳ区間とＬＰ区間の切り替えが数ライン毎に周期的に発生する場合は、ＭＩＰＩのＨＳ区間とＬＰ区間の切り替えタイミングの出力されるタイミングを定常的に遅らせることによりノイズの発生を回避することができる。
【００１９】
しかし、アナログ処理部とデジタル処理部とで動作クロックの周波数が異なる場合、ＭＩＰＩのＨＳ区間とＬＰ区間の切り替えタイミングが時々刻々とずれていく。それぞれの動作クロックは非同期であり、ＤＡＣの出力信号と、ＭＩＰＩのＨＳ区間とＬＰ区間の切り替えとの位相関係が複数通り存在し、かつ周期的に変化する。そのため、ＨＳ区間とＬＰ区間の切り替えタイミングに定常的な遅延を与えるのみではノイズの発生を抑制することはできず、垂直方向に周期的な濃淡のノイズとなる。
【００２０】
図３Ａは、ＭＩＰＩのＨＳ区間とＬＰ区間の切り替えに起因するノイズの発生のメカニズムを示す説明図である。ＤＡＣからの出力信号と、ＭＩＰＩのＨＳ区間とＬＰ区間の切り替えタイミングの位相関係は複数通りあり、位相関係が周期的に変化する。従って、ＭＩＰＩのＨＳ区間とＬＰ区間の切り替えタイミングが時々刻々とずれていく。
【００２１】
図３Ｂは、ＭＩＰＩのＨＳ区間とＬＰ区間の切り替えに起因するノイズが乗った画像の例を示す説明図である。図３Ｂに示したように、ＭＩＰＩのＨＳ区間とＬＰ区間の切り替えに起因して、垂直方向に周期的な濃淡のノイズとなって現れる。
【００２２】
そこで本件開示者は上述した点に鑑み、ＭＩＰＩ規格におけるＨＳ区間とＬＰ区間との切り替えに起因する画像のノイズの発生を抑えることが可能な技術について鋭意検討を行った。その結果、本件開示者は、以下で説明するように、ＭＩＰＩ規格におけるＨＳ区間とＬＰ区間との切り替えを制御することで画像のノイズの発生を抑えることが可能な技術を考案するに至った。
【００２３】
以上、本開示の実施の形態に至った経緯について説明した。
【００２４】
［１．２．構成例および動作例］
続いて、本開示の実施の形態に係る撮像装置の機能構成例を説明する。図４は、本開示の実施の形態に係る撮像装置１００の機能構成例を示す説明図である。以下、図４を用いて本開示の実施の形態に係る撮像装置１００の機能構成例について説明する。
【００２５】
図４に示したように、本開示の実施の形態に係る撮像装置１００は、画素アレイ１１０と、アナログ処理部１２０と、記憶部１３０と、信号処理部１４０と、制御部１５０と、出力処理部１６０と、を含んで構成される。
【００２６】
画素アレイ１１０は、入射光を光電変換する画素がアレイ状に設けられており、入射光の光電変換で得られる画素信号を出力する。画素アレイ１１０からの画素信号はアナログ処理部１２０に送られる。
【００２７】
アナログ処理部１２０は、アナログ信号である、画素アレイ１１０からの画素信号に対するデジタル化処理およびデジタル化後の信号に対する画像処理を実行する。デジタル化および画像処理を実行した後の信号は記憶部１３０送られる。また、アナログ処理部１２０でのデジタル化に用いられるＤＡＣの出力信号（例えば、水平同期信号）は制御部１５０に送られる。
【００２８】
記憶部１３０は、アナログ処理部１２０から出力される信号を一時的に記憶する。信号処理部１４０は、記憶部１３０に記憶された信号を読み出して所定の信号処理を実行する。
【００２９】
制御部１５０は、アナログ処理部１２０からのＤＡＣの出力信号と、信号処理部１４０で用いられるクロック信号とに基づき、出力処理部１６０からの出力信号の、ＨＳ区間とＬＰ区間の切り替えタイミングを制御する。
【００３０】
出力処理部１６０は、信号処理部１４０から出力される信号を、制御部１５０の制御に基づいて出力する。出力処理部１６０からの出力信号について、制御部１５０がＭＩＰＩのＨＳ区間とＬＰ区間の切り替えタイミングを制御することで、縦方向に周期的に発生していた濃淡は、画面全体の非周期的な濃淡に変化し、視認されにくいノイズとなる。
【００３１】
図５は、制御部１５０によるＭＩＰＩのＨＳ区間とＬＰ区間の切り替えタイミングの制御例を示す説明図である。図５に示したように、ＨＳ区間の終了とＬＰ区間の開始時間、および、ＬＰ区間の開始時間とＨＳ区間の開始時間とを、フレーム毎および水平周期毎に変更する。このようにＨＳ区間の終了とＬＰ区間の開始時間、および、ＬＰ区間の開始時間とＨＳ区間の開始時間とを制御することで、本開示の実施の形態に係る撮像装置１００は、縦方向に周期的に発生していた濃淡を画面全体の非周期的な濃淡に変化させて、視認されにくいノイズとすることができる。
【００３２】
以上、図４を用いて本開示の実施の形態に係る撮像装置１００の機能構成例について説明した。続いて、本開示の実施の形態に係る撮像装置１００に含まれる制御部１５０の構成例について説明する。
【００３３】
（第１の構成例）
まず、制御部１５０の第１の構成例について説明する。図６は、本開示の実施の形態に係る撮像装置１００に含まれる制御部１５０の第１の構成例を示す説明図である。以下、制御部１５０の構成例について説明する。
【００３４】
図６に示したように、制御部１５０は、Ｍ系列信号生成部１５１、切り替えタイミングレジスタ１５２、タイミング生成部１５３、加算部１５４、および切り替えタイミングカウンタ１５５を含んで構成される。また図６には出力処理部１６０の一例がＭＩＰＩドライバとして示されている。
【００３５】
Ｍ系列信号生成部１５１は、擬似ランダム数として、所定のビット数のＭ系列信号を生成する。例えばＭ系列信号生成部１５１が７ビットのＭ系列信号を生成する場合、ゼロを除く１２７個の順不同のデータを繰り返し生成する。繰返し回数が少ないと正弦波状ではない周期ノイズとなるため、ある程度の語長を有することが望ましい。
【００３６】
一方、語長が長すぎても、タイミングの振り幅と細かさに限度があるため、出力値をそのまま振り幅にすることはできない。語長が長い場合は、Ｍ系列信号生成部１５１が生成する信号の下位ビットから必要なビット数だけを利用しても良い。信号の下位ビットから必要なビット数だけを利用することで、繰り返し周期の長さをある程度確保しつつ、信号に必要なビット数の選択が可能となる。
【００３７】
切り替えタイミングレジスタ１５２は、ＨＳ区間とＬＰ区間の切り替えタイミングの制御に用いるロード値を格納する。切り替えタイミングレジスタ１５２に格納されるロード値は変更されるものではない。
【００３８】
タイミング生成部１５３は、切り替えタイミングカウンタ１５５に供給するロード（ＬＤ）信号を出力する。
【００３９】
加算部１５４は、Ｍ系列信号生成部１５１が生成した信号と、切り替えタイミングレジスタ１５２が保持しているロード値とを加算し、切り替えタイミングカウンタ１５５に出力する。
【００４０】
切り替えタイミングカウンタ１５５は、ロード（ＬＤ）信号に基づいて、出力処理部１６０におけるＨＳ区間とＬＰ区間の切り替えタイミングを制御する。ロード信号は、所定の周期でＨＳ区間のデータとも同期している。すなわち、切り替えタイミングカウンタ１５５には、タイミング生成部１５３が生成する信号と、アナログ処理部１２０で生成される水平同期信号ＨＳｙｎｃと、が入力される。
【００４１】
そして切り替えタイミングカウンタ１５５は、切り替えタイミングレジスタ１５２が保持しているロード値に、ランダムに変化するＭ系列信号生成部１５１が生成した信号が加算された信号を入力し、ＨＳ区間とＬＰ区間の切り替えタイミングを制御する。すなわち、第１の構成例では、制御部１５０は、ＨＳ区間とＬＰ区間の切り替えタイミングをランダムに変化させる。
【００４２】
ＨＳ区間とＬＰ区間の切り替えタイミングをランダムに変化させることで、制御部１５０は、縦方向に周期的に発生していた濃淡を画面全体の非周期的な濃淡に変化させて、視認されにくいノイズとすることができる。
【００４３】
第１の構成例における制御部１５０は、ＨＳ区間とＬＰ区間の切り替えタイミングをランダムに変化させることができるが、ＭＩＰＩ規格においては、ＨＳ区間とＬＰ区間の切り替え時間の最小値が定められている。従って、第１の構成例における制御部１５０は、ＭＩＰＩ規格で定められている、ＨＳ区間とＬＰ区間の切り替え時間の最小値を下回らないように、ＨＳ区間とＬＰ区間の切り替えタイミングをランダムに変化させる。
【００４４】
（第２の構成例）
続いて制御部１５０の第２の構成例について説明する。第２の構成例に係る制御部１５０は、ＨＳ区間とＬＰ区間の切り替えタイミングを、アナログ処理部１２０で生成される水平同期信号に基づいて、ノイズの影響が少ないタイミングに常にシフトさせるよう制御する。
【００４５】
図７は、ＨＳ区間とＬＰ区間の切り替えタイミングを、ノイズの影響が少ないタイミングにシフトする様子を示す説明図である。図７には、ＨＳ区間とＬＰ区間の切り替えタイミングを、ＤＡＣの出力のランプ部分では無く、水平になっている部分にシフトさせている。このようにＨＳ区間とＬＰ区間の切り替えタイミングを制御することで、制御部１５０は、ノイズそのものを抑圧することができる。
【００４６】
図８は、本開示の実施の形態に係る撮像装置１００に含まれる制御部１５０の第２の構成例を示す説明図である。以下、制御部１５０の構成例について説明する。
【００４７】
図８に示したように、制御部１５０は、切り替えタイミングレジスタ１５２および切り替えタイミングカウンタ１５５を含んで構成される。また図８には出力処理部１６０の一例がＭＩＰＩドライバとして示されている。
【００４８】
切り替えタイミングレジスタ１５２は、ＨＳ区間とＬＰ区間の切り替えタイミングの制御に用いるロード値を格納する。この第２の構成例では、切り替えタイミングレジスタ１５２に格納される値は、ノイズ量に応じて変更されうる。ノイズ量は、例えば画素の１ライン毎の平均値をとり、分散を求めることで求められても良い。周期的なノイズと、ランダム的に発生するノイズでは、分散が大きく異なる。切り替えタイミングレジスタ１５２に格納される値は、ノイズ量が少なくなる値を規定値とする。これにより、制御部１５０は、ＨＳ区間とＬＰ区間の切り替えタイミングを、ノイズの影響が少ないタイミングにシフトさせることができる。
【００４９】
この第２の構成例では、ＨＳ区間のデータとは無関係にＬＰ区間への切り替えを行う。従って、ＨＳ区間の転送レートは、ＬＰ区間に切り替わる前に、ＨＳ区間のデータを出しきることが出来る程度の速度である。
【００５０】
（第３の構成例）
続いて制御部１５０の第３の構成例について説明する。第３の構成例に係る制御部１５０は、アナログ処理部１２０で生成されるランプ信号を参照しながら、ノイズの影響が少ないタイミングとなるように、ＨＳ区間とＬＰ区間の切り替えタイミングを設定する。
【００５１】
図９は、アナログ処理部１２０で生成されるランプ信号とＨＳ区間とＬＰ区間の切り替えタイミングとノイズ量の関係例を示す説明図である。ＨＳ区間とＬＰ区間の切り替えタイミングを、図９のように５通りに設定した場合、最もノイズ量が大きいのはパターン３であり、最もノイズ量が少ないのはパターン１である。従って第３の構成例に係る制御部１５０は、パターン１でＨＳ区間とＬＰ区間とが切り替わるように切り替えタイミングを設定する。
【００５２】
図１０は、本開示の実施の形態に係る撮像装置１００に含まれる制御部１５０の第３の構成例を示す説明図である。以下、制御部１５０の構成例について説明する。
【００５３】
図１０に示したように、制御部１５０は、切り替えタイミングレジスタ１５２、切り替えタイミングカウンタ１５５およびノイズ判定部１５６を含んで構成される。また図１０には出力処理部１６０の一例がＭＩＰＩドライバとして示されている。
【００５４】
切り替えタイミングレジスタ１５２は、ＨＳ区間とＬＰ区間の切り替えタイミングの制御に用いるロード値を格納する。この第３の構成例では、切り替えタイミングレジスタ１５２に格納される値は、ノイズ量に応じて変更されうる。ノイズ量は、例えば画素の１ライン毎の平均値をとり、分散を求めることで求められても良い。周期的なノイズと、ランダム的に発生するノイズでは、分散が大きく異なる。切り替えタイミングレジスタ１５２に格納される値は、ノイズ量が少なくなる値を規定値とする。これにより、制御部１５０は、ＨＳ区間とＬＰ区間の切り替えタイミングを、ノイズの影響が少ないタイミングにシフトさせることができる。
【００５５】
ノイズ判定部１５６は、画像信号におけるノイズ量の判定を行う。ノイズ量は、ＨＳ区間とＬＰ区間の切り替えタイミングと、ランプ信号の傾きとの位相に相関がある。すなわち、切り替えタイミングレジスタ１５２の値を順次増加、または減少させると、増加または減少に応じてノイズ量も増減する。ノイズ判定部１５６は、切り替えタイミングレジスタ１５２の設定毎の、画像信号のノイズ量を測定することで、ノイズが最小となる設定を判定することが出来る。
【００５６】
上述したように、ＭＩＰＩ規格においては、ＨＳ区間とＬＰ区間の切り替えタイミングに制約がある。一方、ＭＩＰＩ規格においては、ＨＳ区間の終了からＬＰ用の駆動回路への切り替え時間（ＴＨＳ−ＴＲＡＩＬ）、および、ＬＰ区間の時間については最大値の規定は存在しない。従って、制御部１５０は、ＨＳ区間とＬＰ区間の切り替えタイミングの制御に際し、ＭＩＰＩ規格を準拠しつつ、ＨＳ区間の終了からＬＰ用の駆動回路への切り替え時間、および、ＬＰ区間の時間を伸長させる。これにより、制御部１５０は、転送周波数を変えること無く、ＨＳ区間とＬＰ区間の切り替えタイミングを変化させることができる。
【００５７】
最後に、本開示の実施の形態による効果について説明する。図１１は、本開示の実施の形態の効果を説明するための説明図である。
【００５８】
図１１には、ノイズが６４±３（ＬＳＢｒｍｓ）の画像２００に、振幅が±０．３（ＬＳＢ）の正弦波の横筋が乗った画像２１０を重畳した場合と、本実施形態によりＨＳ区間とＬＰ区間の切り替えタイミングを変化させた画像２３０を重畳した場合とが示されている。振幅が±０．３（ＬＳＢ）の正弦波の横筋を重畳すると、画像２２０のように横縞状のノイズが目立ってしまうのに対し、本実施形態によりＨＳ区間とＬＰ区間の切り替えタイミングを変化させると、画像２４０のようにノイズが目立たなくなっている。すなわち、本実施形態により、ＭＩＰＩ規格におけるＨＳ区間とＬＰ区間との切り替えを制御することで画像のノイズの発生を抑えることが可能となっている。
【００５９】
＜２．まとめ＞
以上説明したように本開示の実施の形態によれば、ＨＳ区間の終了とＬＰ区間の開始時間、および、ＬＰ区間の開始時間とＨＳ区間の開始時間とを制御する撮像装置１００を提供することが出来る。本開示の実施の形態に係る撮像装置１００は、ＨＳ区間の終了とＬＰ区間の開始時間、および、ＬＰ区間の開始時間とＨＳ区間の開始時間とを制御することで、縦方向に周期的に発生していた濃淡を画面全体の非周期的な濃淡に変化させて、視認されにくいノイズとすることができる。
【００６０】
各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【００６１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００６３】
なお、以下のような構成も本開示の技術的範囲に属する。
（１）
アナログ信号をデジタル信号に変換する変換部と、
前記デジタル信号に対する信号処理を行う信号処理部と、
前記変換部での変換に用いる第１の信号と、前記信号処理部で処理される第２の信号とを少なくとも用いて、出力するデータ信号の通信モードの、第１のデータ伝送モードと、前記第１のデータ伝送モードよりも伝送速度が低速な第２のデータ伝送モードとに切り替わるタイミングを所定のルールに基づき制御する制御部と、
を備える、撮像装置。
（２）
前記制御部は、前記所定のルールとして前記第１のデータ伝送モードと前記第２のデータ伝送モードとの切り替わりのタイミングをランダムに変化させる、前記（１）に記載の撮像装置。
（３）
前記制御部は、擬似ランダム数に基づいて前記第１のデータ伝送モードと前記第２のデータ伝送モードとの切り替わりのタイミングをランダムに変化させる、前記（２）に記載の撮像装置。
（４）
前記制御部は、前記第１の信号を参照して所定の期間を避けるように、前記第１のデータ伝送モードと前記第２のデータ伝送モードとの切り替わりのタイミングを変化させる、前記（１）に記載の撮像装置。
（５）
前記第１の信号は、ランプ信号である、前記（４）に記載の撮像装置。
（６）
前記制御部は、前記第２の信号のノイズ量を測定し、該ノイズ量が最小となるタイミングで前記第１のデータ伝送モードと前記第２のデータ伝送モードとの切り替わりのタイミングを変化させる、前記（１）に記載の撮像装置。
（７）
前記制御部は、前記第１のデータ伝送モードと前記第２のデータ伝送モードとの切り替え時間の最小値が前記通信モードの規則に定められた最小値を下回らない範囲で前記第１のデータ伝送モードと前記第２のデータ伝送モードとの切り替わりのタイミングを制御する、前記（１）〜（６）のいずれかに記載の撮像装置。
（８）
前記アナログ信号を生成する画素がアレイ状に配列された画素アレイをさらに備える、前記（１）〜（７）のいずれかに記載の撮像装置。
（９）
前記通信モードは、ＭＩＰＩ（Mobile  Industry  Processor  Interface）規格に準拠するモードである、前記（１）〜（８）のいずれかに記載の撮像装置。
（１０）
アナログ信号をデジタル信号に変換することと、
前記デジタル信号に対する信号処理を行うことと、
前記変換に用いる第１の信号と、前記信号処理で処理される第２の信号とを少なくとも用いて、出力するデータ信号の通信モードの、第１のデータ伝送モードと、前記第１のデータ伝送モードよりも伝送速度が低速な第２のデータ伝送モードとに切り替わるタイミングを所定のルールに基づき制御することと、
を備える、制御方法。
【符号の説明】
【００６４】
１００    撮像装置
２００    画像
２１０    画像
２２０    画像
２３０    画像
２４０    画像
【図１】
2020027978.tif 000003
【図２】
2020027978.tif 000004
【図３Ａ】
2020027978.tif 000005
【図３Ｂ】
2020027978.tif 000006
【図４】
2020027978.tif 000007
【図５】
2020027978.tif 000008
【図６】
2020027978.tif 000009
【図７】
2020027978.tif 000010
【図８】
2020027978.tif 000011
【図９】
2020027978.tif 000012
【図１０】
2020027978.tif 000013
【図１１】
2020027978.tif 000014